(57)【要約】【課題】本発明は、サンダル甲皮の履きやすいが脱げやすい履き口の調節や、バンドの着脱を簡便容易にして、サンダルの履用範囲を広げることが主な目的である。【解決手段】本発明は、サンダルバンドの着脱を簡便にかつバンドの緊締力を容易に調節するため、爪先部から踏まず部近傍のサンダル底部の両側に複数個の有頭形状のピンを装着したサンダル底部に、１本ないし数本のストラップを有頭形状のピンそれぞれと結んで結び目を作り、当該ピンの有頭形をすべり止めとして、有頭形状のピンに固定装着した該ストラップを、サンダル底部外側ないしその周縁に沿い、隣接する有頭形状のピン間で該ストラップを牽引装着することにより、該ストラップとサンダル底部及び有球形状のピンとの間に２か所ないし数か所の間隙を、サンダル底部に設けるようにしたものである。【選択図】  図３
2004337541.tif 000002
【特許請求の範囲】
【請求項１】
爪先部から踏まず部近傍のサンダル底部の両側に、複数個の有頭形状のピンを装着したサンダル底部に、１本ないし数本のストラップを、サンダル底部外側ないしその周縁に沿い、有頭形状のピンそれぞれと結んで結び目を作り、当該ピンの有頭形をすべり止めとして、有頭形状のピンに固定装着した該ストラップを、サンダル底部外側ないしその周縁に沿い、隣接する有頭形状のピン間で、該ストラップを牽引装着することにより、該ストラップとサンダル底部に装着した有頭形状のピン及びサンダル底部との間に、２か所ないし数か所の間隙を設けたことを特徴とするサンダル
【発明の詳細な説明】
【０００１】
【発明の属する技術分野】
この発明は、サンダルに関するものである。従来、サンダルバンドは、主に甲皮として、サンダルに固着させ、履用者が履きやすいように大きく空隙を設けるのが通常である。このことは履きやすいが反面、履用者の足との間に隙が生じサンダルが脱げやすい。即ちサンダルバンドにおいて、その長所・短所とは両立しえないものであった。
爪先部から踏まず部近傍のサンダル底部両側に装着した、複数個の有頭形状のピンに、１本ないし数本のストラップを、サンダル底部外側ないしその周縁に沿い、有頭形状のピンそれぞれと結んで結び目を作り、該ピンの有頭形をすべり止めとして、該ストラップを有頭形状のピンに固定装着し、サンダル底部外側ないしその周縁に沿って、該ストラップを隣接する有頭形状のピン間で牽引装着することにより、該ストラップと有頭形状のピン及びサンダル底部との間に、２か所ないし数か所の間隙を設けたときは、有頭形状のピンそれぞれと結んで結び目を作り装着したストラップと、サンダル底部に装着した有頭形状のピン及びサンダル底部との間に、間隙が生じる。この間隙に紐様のサンダルバンドの一方の端を通過させると、サンダルバンドが、有頭形をすべり止めとしてピンに結んで結び目を作り、サンダル底部の有頭形状のピンに固定装着したストラップを引っ掛けて、サンダルを吊ることが出来る。その間隙を通過した該バンドの一方の端を、通過した方向とは反対側に折り、バンドを巻くように該バンドの一方の端を、対側の間隙を同様に通過して、サンダル底部有頭形状のピンに結んで固定牽引装着したストラップを引っ掛け、サンダルを吊った該バンド他端と履用者の甲上で結び合わせて留めるときは、該サンダルバンドと履用者の足との間に生じる空隙を可及的に小さくして、サンダルバンドが履用者の足にフィットするのみならず、該バンドに十分な緊締力を付与できる。
またサンダル底部爪先部に装着した同側の隣接する有頭形状のピン間で、該ピンに結び固定牽引装着したストラップとサンダル底部との間に設けた間隙に、サンダルバンドの一端を通過させサンダル底部の有頭形状のピンに固定牽引装着したストラップを引っ掛け、サンダルを吊り同様に、対側のサンダル底部との間に設けた間隙を、当該サンダルバンドの他端を通過させ、サンダル底部爪先部に装着した有頭形状のピンに結び固定牽引装着したストラップを引っ掛け、サンダル台上で当該サンダルバンドの両端を結び、あるいは互いに合わせ重ねて面ファスナー等の留め具でその両端を接着させて留めるときは、バンドを甲皮として利用できる他、履用者は、必要に応じ随時サンダルバンドを交換でき、サンダルの利用を著しく向上させることができる。またかかるサンダルバンドは着脱できるのみならず、サンダル底部及びサンダル底部両側に装着した有頭形状のピンと該ピンに結び固定牽引装着したストラップによって設けられた、コの字様の間隙を通過する際に、履用者は、履用者の足とバンドとの隙間を可及的に小さくしてバンドを緊縛しバンドの両端を結び、あるいは面ファスナー等で接着し留めることができる。かかるサンダルバンドが甲皮として履用者の足に密着し、サンダル底部両側に装着した有頭形状のピンに結び牽引装着したストラップを吊ることになることから、履用者の足にフィット感を与える十分な緊締力を提供するサンダルバンドとなる。かかるサンダルバンドを甲皮として利用するときは、甲皮と履用者の足の間に生じる空隙を可及的に小さく調節できるから、履用者は活動時でも、安定した履き心地を得ることができる。また本発明によりサンダルバンドの着脱交換が簡便となり、サンダルの利用範囲が広がるばかりでなく、ファッション性を高めることもできる。
【０００２】
【従来の技術】
従来、サンダルに締具として利用するバンドは、甲皮を初めサンダルに固着され、履用者とバンドとの間の空隙の調節は容易ではなかった。
【０００３】
【発明が解決しようとする課題】
サンダルの利用目的は簡易な履きやすさにある。甲皮が固着しサンダル台上で大きく半円形状の空隙を設ける甲皮の履き口は、簡易な履きやすさと圧迫感の少ない履き心地の良さはあるが、他方履用時には、履用者の足と甲皮の間に隙間が生じ、サンダルが脱げやすい。そのため活動時の履用、長距離の歩行時などには、履用者のアキレス腱や筋肉に、サンダルを足に保持するための余分な負担がかかり、活動時に履用するには、サンダルは適さなかった。したがってサンダルは、活動時、長距離時などにはあまり履用されず、その利用範囲は限られていた。
【０００４】
サンダルにおいて、履用者が必要に応じバンドを着脱したり、緊締力を調節できるときは、サンダルの利用範囲を実質的に広げることができる。しかし、バンド着脱や緊締力の調節の操作自体が容易でなければ、締具としてバンドを着脱させる意味がない。また締具の着脱を容易にしても締具としてのバンド装着時に、履用者に適度の緊締力やフィット感を提供できなければ、バンドを締具として装着させる意味がない。
【０００５】
サンダルに、サンダルバンド等の締具を固着させる方法は叙上のような欠点がある。またサンダルバンドの着脱を可能とする場合でも、サンダルバンドの着脱の操作自体が容易で、しかもサンダルバンド装着時に十分な緊締力やフィット感を履用者に提供できなければ、サンダルバンド着脱の意味をなさず、サンダルの利用範囲を実質的に広げることはできない。
本発明はサンダル底部に、簡便容易にサンダルバンドを着脱できる装置を設け、当該装置により、締具として簡便で利用しやすいバンドを、容易に着脱できるようにした他、バンド装着時に、バンドによる緊締力を簡易に調節して十分な緊締力やフィット感を履用者に提供できるようにしたものである。
【０００６】
【課題を解決するための手段】
本発明は上記課題を解決するため、爪先部から踏まず部近傍のサンダル底部の両側に、複数個の有頭形状のピンを装着したサンダル底部に、１本ないし数本のストラップを、有頭形状のピンのそれぞれと結んで結び目を作り、当該ピンの有頭形をすべり止めとして、該ストラップを、隣接する有頭形状のピン間で、サンダル底部の外側ないしその周縁に沿って、牽引装着することにより、サンダル底部に装着した有頭形状のピンに結び固定牽引装着したストラップと、有頭形状のピン及びサンダル底部との間に、２カ所ないし数カ所の間隙を設ける。このようにして設けた間隙にバンドを通し該バンドを折り返してストラップを引っ掛け、サンダルを吊ることが出来、簡便容易にサンダルバンドを着脱できるようにした他、当該装置によりサンダルバンドで緊締力を容易に調節して、履用者に十分な緊締力やフィット感を提供する締具として活用できるようにしたものである。
【０００７】
【発明の実施の形態】
爪先部から踏まず部近傍のサンダル底部の両側に、複数個の有頭形状のピンを装着したサンダル底部に１本ないし数本のストラップを、有頭形状のピンのそれぞれと結んで結び目を作る。当該ピンの有頭形をすべり止めとして該ストラップを、隣接する当該有頭形状のピン間で、サンダル底部の外側ないしその周縁に沿って、有頭形状のピンに結び固定牽引装着するときは、両側の該ストラップと有頭形状のピン及びサンダル底部との間に、２カ所ないし数カ所の間隙を設けることができる。これらの間隙にバンドを通過させ、サンダル底部装着の複数の有頭形状のピンそれぞれと結んで  結び目を作り固定牽引装着したストラップを、該バンドが引っ掛け折り返し、該バンドでストラップを引っ掛けたまま対側の方向に牽引するときは、サンダル底部とバンドの間に挟まれた履用者の足の甲とバンドとはかなり緊密に密着し、バンドを締めて結ぷあるいは留め具等で留めると、かかるバンドは締具となってサンダルを吊り、サンダルの脱落を防止する。紐様のバンドの両端のうち一端と他端とをサンダル台上で結び合わせるようにして、サンダル底部両側に設けられた間隙を、該バンド両端の内の一端と他端のそれぞれを通過させ、サンダル底部装着の隣接する有頭形状のピン間で、ピンそれぞれと結び固定牽引装着したストラップを引っ掛けたまま、該バンドのそれぞれの端を対側に折り返してサンダルを吊り、履用者の甲上で該バンドを締めて結ぶことにより、あるいは該バンドを合わせ重ねて面ファスナー等で接着し留めるときは、該バンドを締具として利用できる。
【０００８】
【実施例】
本発明を図示実施例に従って説明する。サンダル底部１は、通常と同じ構成であり、本底、中底、ヒールなどより成る。サンダル底部は、皮革、合成ゴム、木、ウレタンソール、プラスチックソール、スポンジソール、コルクなどの材料を用いて成型し、適宜接着し、釘止めし又は縫い付けることによって造ることができる。ストラップ２は、革、合成皮革、綿等の材料で造られる。ストラップは、爪先部から踏まず部近傍のサンダル底部両側に複数個装着した有頭形状のピンのそれぞれと結んで結び目を作り、サンダル底部外側ないしその周縁に沿って、隣接する有頭形状のピン間で、ストラップを固定牽引装着でき、かかる装着したストラップと有頭形状のピン及びサンダル底部の間に設けた２カ所ないし数カ所の間隙を通過したサンダルバンドを、対側に向け折り返すことにより、かかるストラップを引っ掛けることができる形状であればよく、長方形、紐、格子状のものやらせん状のもの等の造形を自由に採用することができる。ストラップ２は、サンダル底部１の爪先部から踏まず部近傍に装着した複数個の有頭形状のピン３それぞれと結んで結び目を作り、有頭形をすべり止めとして、隣接する有頭形状のピン間でサンダル底部外側ないしその周縁に沿い有頭形状のピン３に、ストラップ２を固定牽引装着する。有頭形状のピン３は、木、金属、合成樹脂、革等の材料で造られる。ピン端の有頭形は、ストラップ２をピンに結んで作った結び目のすべり止めとしての役割を果たす有頭形の形状であればよく、円形、正方形、多角形、花などの造形を自由に採用することができる。
【０００９】
有頭形状のピン３は、サンダル底部１両側の爪先部から踏まず部近傍に、複数個を装着する。有頭形状のピン３を、サンダル底部１の両側の爪先部から踏まず部近傍に装着する方法は、サンダル底部１に装着する有頭形状のピン３が嵌合する適宜な凹部あるいは螺合部を設けて、有頭形状のピンを嵌合し接着剤により接着する方法、螺子込む方法又はこれらを混合した方法などにより、ビンを装着することができる。また、サンダル底部１の両側の爪先部から踏まず部近傍の適当な位置に、有頭形状のピン３を直接打ち込むことにより装着することができる。
【００１０】
バンド４は天然皮革、合成皮革、合成繊維等の材料で造られる。バンド４の形態は特別の形態を要しない。すなわちバンド４の形態は単なる紐でもよく、その両端を結び合わせることにより、またバンドの端を留め具等により留めることによりサンダルの締具とできればよい。バンドとホック、面ファスナー等の留め具との装着方法は縫製や接着剤などによる。
【００１１】
【発明の効果】
本発明によるときは、履用者は、バンドを必要に応じ簡便に着脱できる。すなわち、ストラップ２を、サンダル底部１の両側の爪先部から踏まず部近傍に装着した複数個の有頭形状のピン３それぞれと結んで結び目を作り、隣接する有頭形状のピン間でサンダル底部外側ないしその周縁に沿って、有頭形状のピンに固定牽引装着することにより、ストラップ２と有頭形状のピン３及びサンダル底部１との間に設けた２か所ないし数か所の間隙に、履用者がバンド４の一方の端を通過させ、ストラップ２を引っ掛けたまま対側に向けて牽引すると、サンダルを吊ることができる。同様にして対側の間隙を通過させて牽引し、対側のストラップ２を引っ掛けたバンド４の他端とを、履用者がサンダル台上で結び合わせることにより、バンド４とサンダル底部１との間に挟まれた履用者の足の甲と、バンド４との隙間を可及的に小さくして、バンドを足に密着させることができる。のみならず、サンダル底部１の爪先部両側に複数個装着した有頭形状のピンそれぞれと結んで結び目を作り、ピンの有頭形をすべり止めとして隣接する有頭形状のピン間で、サンダル底部外側ないしその周縁に沿い、有頭形状のピンに固定牽引装着したストラップ２を、サンダル底部爪先部の両側で引っ掛けたバンド４の両端を、履用者の甲上で締めて結ぶことにより、あるいは、サンダル台上でバンドの両端を合わせ重ね面ファスナー等の留め具で留めることにより、バンドを履用者の足にフィット感を与える甲皮として利用できる。サンダル底部両側に複数個装着した有頭形状のピンのそれぞれと結んで結び目を作り、有頭形をすべり止めとし隣接する有頭形状のピン間で、サンダル底部外側ないしその周縁に沿い固定牽引装着したストラップと、有頭形状のピン及びサンダル底部との間に設けられた間隙を、履用者がバンドを通過させ対側に向け折り曲げ、かかるストラップを引っ掛けることにより、バンドでサンダルを吊り、該バンドで甲皮やサンダルバンドとしてサンダルを保持できる。サンダル底部に装着した複数個の有頭形状のピンそれぞれと結び、隣接する有頭形状のピン間で、サンダル底部外側ないしその周縁に沿って固定牽引装着したストラップと、有頭形状のピン及びサンダル底部との間に設けられた間隙の中を通すという、簡易な操作だけで、バンド４を簡便にサンダルの締具として利用することができる。さらにゴム素材などバンドの生地に伸縮性があれば、さらに十分な緊締力を得ることができる。
【００１２】
サンダルは、甲皮を足に引っ掛け簡易に履けるといった面で利用される反面、履用者の足と甲皮の間に隙が生じやすく脱げやすい。他方サンダルに予めバンドを締具として固着させると、簡易な履きやすさが損なわれるといった短所がある。固着した締具の占有が煩わしいからである。そこで、必要に応じバンドを締具として利用するのみならず、履用者の足にバンドを密着させて履用者にフイット感を提供できれば、サンダルの利用範囲を広げることができる。しかしバンドの着脱の操作が容易でなければ、所詮画餅に帰する。本発明は主に履用範囲が制限されるサンダルの履きやすいが脱げやすいといった、両立しえなかった長所と短所の問題を解消する為、バンドの着脱操作を簡便容易にして、サンダルの利用範囲を広げるものである。そして本発明により、甲皮・締具となるバンドを簡便にサンダルに装着できるほか、装着時にはバンドが履用者の足に密着し、バンドが締具としてサンダルを保持し履用者に安定した履き心地を提供するものである。
【００１３】
本発明により甲皮・締具となるバンドを、簡便容易にサンダルに装着し利用できることから、サンダルのヒールが高い場合でも、バンドの緊締力を簡便容易に利用して、履用者は安定した履き心地を得ることができる。サンダル底部に装着する有頭形状のピンやストラップの素材で装飾効果を高めることもできる。かくして本発明によりサンダルの活用は著しく向上することになる。
【００１４】
また履用者の好みに応じて、甲皮・締具となるバンドの素材を選択することができる他、バンドを容易に着脱できるので、バンドとサンダルとの素材や組み合わせを自由に楽しむことができる。履用者は、好みに応じてサンダルを個性的に装飾し演出することができる。
【００１５】
さらにサンダル底部に装着する有頭形状のピン３やストラップ２の材質  に金・銀等の高級な素材を採用しバンド４に絹等の素材を選択するときは、サンダルの美観を高めその商品価値を極めて向上させることができる。
【図面の簡単な説明】
【図１】本発明の実施例を示した斜視図である。
【図２】本発明の実施例を示した平面図である。
【図３】バンドの一例を、サンダル底部有頭形状のピンに装着したストラップに引っ掛けた状態の例示を示す斜視図である。
【符号の説明】
１はサンダル底部、
２はストラップ、
３は有頭形状のピン、
４はバンドの例示である。
【図１】
2004337541.tif 000003
【図２】
2004337541.tif 000004
【図３】
2004337541.tif 000005